(57)【要約】【課題】  起動待機時に省電力を実現するとともに、その起動制御を行う光伝送システムを提供する。【解決手段】  モニタ機器２０は、起動制御部がＥ／Ｏ変換部を起動し、電気信号形式の起動制御信号をＥ／Ｏ変換部へ送信し、Ｅ／Ｏ変換部が電気信号形式の起動制御信号を光信号形式に変換して光伝送ケーブル３０を介してソース機器１０へ伝送し、ソース機器１０は、モニタ機器２０から光伝送ケーブル３０を介して伝送される光信号形式の起動制御信号をＯ／Ｅ変換部が電気信号形式に変換して起動制御部へ送信し、起動制御部が電気信号形式の起動制御信号に応じて待機状態から通常動作状態に移行し、ソース機器１０とモニタ機器２０との間で、光伝送ケーブル３０を介して上記伝送信号の伝送を行う。【選択図】  図１
2007174238.tif 000002
【特許請求の範囲】
【請求項１】
所定の伝送信号の伝送を行う、光伝送ケーブルを介して接続された第１の信号伝送装置と第２の信号伝送装置からなる光伝送システムにおいて、
上記第１の信号伝送装置は、電気信号形式の上記伝送信号を光信号形式に変換する電気／光信号変換部と、上記第２の信号伝送装置から上記光伝送ケーブルを介して伝送される光信号形式の上記伝送信号を電気信号形式に変換する光／電気信号変換部と、待機状態から通常動作状態に移行する制御を行う起動制御部を備え、
上記第２の信号伝送装置は、電気信号形式の上記伝送信号を光信号形式に変換する電気／光信号変換部と、上記第１の信号伝送装置から伝送される光信号形式の上記伝送信号を電気信号形式に変換する光／電気信号変換部と、待機状態から通常動作状態に移行する制御を行う起動制御部を備え、
一方の信号伝送装置は、上記起動制御部が上記電気／光信号変換部を起動し、上記起動制御部が待機状態から通常動作状態に移行する制御を行う電気信号形式の起動制御信号を上記電気／光信号変換部へ送信し、上記電気／光信号変換部が電気信号形式の上記起動制御信号を光信号形式に変換して上記光伝送ケーブルを介して待機状態の他方の信号伝送装置へ伝送し、
上記他方の信号伝送装置は、上記一方の信号伝送装置から上記光伝送ケーブルを介して伝送される光信号形式の上記起動制御信号を上記光／電気信号変換部が電気信号形式に変換して上記起動制御部へ送信し、上記起動制御部が電気信号形式の上記起動制御信号に応じて待機状態から通常動作状態に移行し、
上記一方の信号伝送装置と上記他方の信号伝送装置との間で、上記光伝送ケーブルを介して上記伝送信号の伝送を行うことを特徴とする光伝送システム。
【請求項２】
上記伝送信号は映像信号であって、
上記第１の信号伝送装置は、映像信号を送信する映像信号送信部を備え、
上記第２の信号伝送装置は、上記映像信号を受信する映像信号受信部を備え、
上記第１の信号伝送装置は、上記映像信号送信部から上記映像信号を上記電気／光信号変換部へ送信し、上記電気／光信号変換部が上記映像信号を光信号形式に変換して上記光信号ケーブルを介して上記第２の信号伝送装置に伝送し、
上記第２の信号伝送装置は、上記光信号ケーブルを介して伝送された上記映像光信号を上記光／電気信号変換部により電気信号形式に変換し、上記映像信号受信部が上記映像信号を受信することを特徴とする請求項１記載の光伝送システム。
【請求項３】
所定の伝送信号を伝送する光伝送システムにおける光伝送ケーブルを介して他の信号伝送装置と接続される信号伝送装置であって、
電気信号形式の上記伝送信号を光信号形式に変換する電気／光信号変換部と、
上記光伝送ケーブルを介して接続された他の信号伝送装置から伝送される光信号形式の上記伝送信号を電気信号形式に変換する光／電気信号変換部と、
待機状態から通常動作状態に移行する制御を行う起動制御部とを備え、
上記起動制御部が上記電気／光信号変換部を起動し、
上記起動制御部が待機状態から通常動作状態に移行する制御を行う電気信号形式の起動制御信号を上記電気／光信号変換部へ送信し、
上記電気／光信号変換部が上記起動制御信号を光信号形式に変換して上記光伝送ケーブルを介して接続された待機状態の上記他の信号伝送装置へ伝送し、
上記起動制御信号により、上記他の信号伝送装置を待機状態から通常動作状態に移行し、
上記他の信号伝送装置との間で、上記光伝送ケーブルを介して上記伝送信号の伝送を行うことを特徴とする信号伝送装置。
【請求項４】
上記伝送信号は映像信号であって、
電気信号形式の上記映像信号を送信する映像信号送信部をさらに備え、
上記映像信号送信部が電気信号形式の上記映像信号を上記電気／光信号変換部に送信し、
上記電気／光信号変換部が電気信号形式の上記映像信号を光信号形式に変換して、上記光伝送ケーブルを介して上記他の信号伝送装置に伝送することを特徴とする請求項３記載の信号伝送装置。
【請求項５】
上記伝送信号は映像信号であって、
電気信号形式の上記映像信号を受信する映像信号受信部をさらに備え、
上記他の信号伝送装置から上記光伝送ケーブルを介して伝送される光信号形式の上記映像信号を、上記光／電気信号変換部が電気信号形式に変換し、
上記映像信号受信部が電気信号形式の上記映像信号を受信することを特徴とする請求項３記載の信号伝送装置。
【請求項６】
所定の伝送信号を伝送する光伝送システムにおける光伝送ケーブルを介して他の信号伝送装置と接続された信号伝送装置であって、
電気信号形式の上記伝送信号を光信号形式に変換する電気／光信号変換部と、
上記光伝送ケーブルを介して接続された他の信号伝送装置から伝送される光信号形式の上記伝送信号を電気信号形式に変換する光／電気信号変換部と、
待機状態から通常動作状態へ移行する制御を行う起動制御部とを備え、
上記他の信号伝送装置から上記光伝送ケーブルを介して伝送される、待機状態から通常動作状態に移行する制御を行う光信号形式の上記起動制御信号を、上記光／電気信号変換部が電気信号形式に変換して上記起動制御部へ送信し、
上記起動制御部が電気信号形式の上記起動制御信号に応じて、待機状態から通常動作状態に移行し、
上記他の信号伝送装置との間で、上記光伝送ケーブルを介して上記伝送信号の伝送を行うことを特徴とする信号伝送装置。
【請求項７】
上記伝送信号は映像信号であって、
電気信号形式の上記映像信号を送信する映像信号送信部をさらに備え、
上記映像信号送信部により電気信号形式の上記映像信号を上記電気／光信号変換部に送信し、
上記電気／光信号変換部により電気信号形式の上記映像信号を光信号形式に変換して上記光伝送ケーブルを介して上記他の信号伝送装置に伝送することを特徴とする請求項６記載の信号伝送装置。
【請求項８】
上記伝送信号は映像信号であって、
電気信号形式の上記映像信号を受信する映像信号受信部をさらに備え、
上記他の信号伝送装置から上記光伝送ケーブルを介して伝送された光信号形式の上記映像信号を上記光／電気信号変換部により電気信号形式に変換し、
上記映像信号受信部が電気信号形式の上記映像信号を受信することを特徴とする請求項６記載の信号伝送装置。
【請求項９】
所定の伝送信号の伝送を行う、光伝送ケーブルを介して接続された第１の信号伝送装置と第２の信号伝送装置からなる光伝送システムにおける光伝送方法であって、
一方の信号伝送装置は、待機状態から通常動作状態に移行し、待機状態から通常動作状態に移行する制御を行う電気信号形式の起動制御信号を出力し、電気信号形式の上記起動制御信号を光信号形式に変換して上記光伝送ケーブルを介して待機状態の他方の信号伝送装置へ伝送し、
上記他方の信号伝送装置は、上記一方の信号伝送装置から上記光伝送ケーブルを介して伝送される光信号形式の上記起動制御信号を電気信号形式に変換し、電気信号形式の上記起動制御信号に応じて待機状態から通常動作状態に移行し、
上記一方の信号伝送装置と上記他の信号伝送装置との間で、上記光伝送ケーブルを介して上記伝送信号の伝送を行うことを特徴とする光伝送方法。
【請求項１０】
上記伝送信号は映像信号であって、
上記第１の信号伝送装置は、電気信号形式の上記映像信号を出力し、出力した電気信号形式の上記映像信号を光信号形式に変換して上記光信号ケーブルを介して上記第２の信号伝送装置に伝送し、
上記第２の信号伝送装置は、上記光信号ケーブルを介して伝送された光信号形式の上記映像信号を電気信号形式に変換し、電気信号形式の上記映像信号を受信することを特徴とする請求項９記載の光伝送方法。
【請求項１１】
所定の伝送信号を伝送する光伝送システムにおける光伝送ケーブルを介して他の信号伝送装置と接続された信号伝送装置の制御方法であって、
待機状態から通常動作状態に移行し、
待機状態から通常動作状態に移行する制御を行う電気信号形式の起動制御信号を出力し、
出力した上記電気信号形式の起動制御信号を光信号形式に変換し、
光信号形式の上記起動制御信号を上記光伝送ケーブルを介して待機状態の上記他の信号伝送装置へ伝送し、
上記起動制御信号により、上記他の信号伝送装置を待機状態から通常動作状態に移行し、
通常動作状態に移行した上記他の信号伝送装置との間で、上記光伝送ケーブルを介して、上記伝送信号の伝送を行うことを特徴とする信号伝送装置の制御方法。
【請求項１２】
上記伝送信号は映像信号であって、
電気信号形式の上記映像信号を出力し、
出力した電気信号形式の上記映像信号を光信号形式に変換し、
変換した光信号形式を上記光伝送ケーブルを介して上記他の信号伝送装置に伝送し、
上記他の信号伝送装置は、上記光伝送ケーブルを介して伝送される光信号形式の上記映像信号を電気信号形式に変換して、電気信号形式の上記映像信号を受信することを特徴とする請求項１１記載の信号伝送装置の制御方法。
【請求項１３】
上記伝送信号は映像信号であって、
上記他の信号伝送装置から上記光伝送ケーブルを介して伝送された光信号形式の上記映像信号を電気信号形式に変換し、
電気信号形式の上記映像信号を受信することを特徴とする請求項１１記載の信号伝送装置の制御方法。
【請求項１４】
所定の伝送信号を伝送する光伝送システムにおける光伝送ケーブルを介して他の信号伝送装置と接続された信号伝送装置の制御方法であって、
上記他の信号伝送装置から上記光伝送ケーブルを介して伝送される、待機状態から通常動作状態に移行する制御を行う光信号形式の起動制御信号を電気信号形式に変換し、
電気信号形式の上記起動制御信号に応じて、待機状態から通常動作状態に移行し、
通常動作状態に移行した上記他の信号伝送装置との間で、上記光伝送ケーブルを介して上記伝送信号の伝送を行うことを特徴とする信号伝送装置の制御方法。
【請求項１５】
上記伝送信号は映像信号であって、
電気信号形式の上記映像信号を送信し、
電気信号形式の上記映像信号を光信号形式に変換して上記光伝送ケーブルを介して上記他の信号伝送装置に伝送することを特徴とする請求項１４記載の信号伝送装置の制御方法。
【請求項１６】
上記伝送信号は映像信号であって、
上記他の信号伝送装置から上記光伝送ケーブルを介して伝送された光信号形式の上記映像信号を電気信号形式に変換し、
電気信号形式の上記映像信号を受信することを特徴とする請求項１４記載の信号伝送装置の制御方法。
【請求項１７】
所定の伝送信号を伝送する光伝送システムにおける光伝送ケーブルを介して他の信号伝送装置と接続された信号伝送装置に搭載されるコンピュータにより実行される制御プログラムであって、
待機状態から通常動作状態に移行し、
待機状態から通常動作状態へ移行する制御を行う電気信号形式の起動制御信号を出力し、
上記電気信号形式の起動制御信号を光信号形式に変換して上記光伝送ケーブルを介して待機状態の上記他の信号伝送装置へ伝送し、
上記起動制御信号により、上記他の信号伝送装置を待機状態から通常動作状態に移行し、
通常動作状態に移行した上記他の信号伝送装置との間で、上記光伝送ケーブルを介して、上記伝送信号を伝送する制御を行うことを特徴とする制御プログラム。
【請求項１８】
上記伝送信号は映像信号であって、
電気信号形式の上記映像信号を出力し、
出力した電気信号形式の上記映像信号を光信号形式に変換し、
変換した光信号形式を上記光伝送ケーブルを介して上記他の信号伝送装置に伝送し、
上記他の信号伝送装置は、上記光伝送ケーブルを介して伝送される光信号形式の上記映像信号を電気信号形式に変換して、電気信号形式の上記映像信号を受信する制御を行うことを特徴とする請求項１７記載の制御プログラム。
【請求項１９】
上記伝送信号は映像信号であって、
上記他の信号伝送装置から上記光伝送ケーブルを介して伝送された光信号形式の上記映像信号を電気信号形式に変換し、
電気信号形式の上記映像信号を受信する制御を行うことを特徴とする請求項１７記載の制御プログラム。
【請求項２０】
所定の伝送信号を伝送する光伝送システムにおける光伝送ケーブルを介して他の信号伝送装置と接続された信号伝送装置に搭載されるコンピュータにより実行される制御プログラムであって、
上記他の信号伝送装置から上記光伝送ケーブルを介して伝送される、待機状態から通常動作状態に移行する制御を行う光信号形式の起動制御信号を電気信号形式に変換し、
電気信号形式の上記起動制御信号に応じて、待機状態から通常動作状態に移行し、
通常動作状態に移行した上記他の信号伝送装置との間で、上記光伝送ケーブルを介して上記伝送信号を伝送する制御を行うことを特徴とする制御プログラム。
【請求項２１】
上記伝送信号は映像信号であって、
電気信号形式の上記映像信号を送信し、
電気信号形式の上記映像信号を光信号形式に変換して上記光伝送ケーブルを介して上記他の信号伝送装置に伝送する制御を行うことを特徴とする請求項２０記載の制御プログラム。
【請求項２２】
上記伝送信号は映像信号であって、
上記他の信号伝送装置から上記光伝送ケーブルを介して伝送された光信号形式の上記映像信号を電気信号形式に変換し、
電気信号形式の上記映像信号を受信する制御を行うことを特徴とする請求項２０記載の制御プログラム。
【発明の詳細な説明】
【技術分野】
【０００１】
本発明は、起動待機状態において省電力を実現するとともに、その起動制御を行う光伝送システム、信号伝送装置、光伝送方法、信号伝送装置の制御方法、制御プログラムに関する。
【背景技術】
【０００２】
ＴＶチューナやハードディスクレコーダ等の映像信号を出力する映像信号出力装置と、ＣＲＴやＬＣＤ等の映像信号を受信して表示する映像信号入力装置との間で、ディジタル映像信号を伝送する伝送規格として、ＤＶＩ（Ｄｉｇｉｔａｌ  Ｖｉｓｕａｌ  Ｉｎｔｅｒｆａｃｅ）や、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）がある。
【０００３】
ここで、電気信号伝送システム２００は、図５に示すように、映像信号を出力するソース機器２０１と、映像信号を入力して表示するモニタ機器２０２と、ソース機器２０１とモニタ機器２０２とを所定のインターフェースを介して接続する電気信号ケーブル２０３により構成される。ソース機器２０１とモニタ機器２０２は、それぞれ映像信号の入出力を行うＲＧＢＩ／Ｆ２０１ａ、２０２ａを備えている。また、ソース機器２０１とモニタ機器２０２は、互いの機器間での動作命令を送受信する制御信号の入出力を行う制御信号Ｉ／Ｆ２０１ｂ、２０２ｂを備えている。電気信号ケーブル２０３は、映像信号と制御信号との複数の信号を伝達するため、ケーブル内に複数の電気信号線を必要とする。つまり、電気信号ケーブル２０３は、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）と呼ばれる１チャンネルに対して２本の信号線を用いた差動の電気信号からなる映像信号であって、ＲＧＢの３チャンネルのＲＧＢ信号と、ＲＧＢ信号を同期させる同期信号との合計４つの信号を伝送する４本の信号線によって構成される。
【０００４】
このような電気信号伝送システム２００において、例えばＦｕｌｌ  ＨＤと呼ばれる規格のディジタル映像信号を伝送する場合には、当該映像信号のピクセルレートが１４８．５Ｍｂｐｓであって、ＴＭＤＳ伝送規格で伝送した場合、１チャンネルあたりの伝送帯域が、１．４８５Ｇｂｐｓになる。このように、高ビットレートの映像信号をＴＭＤＳのような伝送規格で伝送する場合において、電気ケーブルを介して単に電気信号形式で伝送した場合には、数メートル程度が伝送距離の限界となってしまう。
【０００５】
そこで、長距離信号伝送を可能にするため、高周波帯域の信号の伝送減衰率が、電気信号に比べて非常に小さい光ファイバ等による光伝送が用いられている。映像信号を光伝送する伝送システムとしては、特許文献１に示されているように、映像信号を構成するＲＧＢ信号と同期信号とをそれぞれ光信号に変換するものや、特許文献２に示されているように、１つの光信号線に異なる波長領域毎に分割して、分割した波長領域毎にＲＧＢ信号と同期信号を割り当てて伝送するものがある。しかし、特許文献１に示されているような、ＲＧＢ信号と同期信号をそれぞれ光信号に変換する場合には、電気信号形式を光信号形式に変換する電気／光信号変換部、及び光信号形式を電気信号形式に変換する光／電気信号変換部が複数必要である。
【０００６】
また、特許文献２に示されているような、ＲＧＢ信号と同期信号をそれぞれ光信号において分割した波長帯域に割り当てて伝送する、いわゆるＷＤＭ（Ｗａｖｅｌｅｎｇｔｈ  Ｄｉｂｉｓｉｏｎ  Ｍｕｌｔｉｐｌｅｘｉｎｇ）伝送の場合には、複数の波長領域に応じて、光信号を多重する変換部、及び、光信号を分離する変換部が必要であり、さらに分離された光信号を電気信号に変換する光／電気信号変換部が複数必要であるため、回路規模が拡大且つ複雑になり、それに伴って消費電力が増大する。
【０００７】
ところで、映像信号出力装置と映像信号入力装置とを、電気ケーブルを介して接続された電気信号の伝送システムにおいて、映像信号出力装置からの起動命令により待機状態の映像信号入力装置を起動させる場合には、映像信号出力装置から所定の起動制御信号が、電気ケーブルを介して映像信号入力装置へ伝送される。
【０００８】
これに対して、光信号により映像信号を伝送する光伝送システムにおいて、映像信号出力装置が待機状態の映像信号入力装置を起動させる場合、映像信号出力装置は、電気信号を光信号に変換する電気／光信号変換部とその周辺の回路に、常に電力が供給されている必要があるため、待機状態においてもこのような変換部の消費電力が大きく、省電力を実現することができなかった。一方、映像信号入力装置は、省電力化のために光信号を電気信号へ変換する光／電気信号変換部に電力が供給されなかった場合には、映像信号出力装置から伝送される光信号形式の起動制御信号を受信することができず、起動することができなかった。
【０００９】
【特許文献１】特開２００２−３６６３４０号公報
【特許文献２】特開２００３−２７３８３４号公報
【発明の開示】
【発明が解決しようとする課題】
【００１０】
本発明は、このような従来の実情に鑑みて提案されたものであり、電気信号を光信号に変換して伝送する光伝送システムであって、待機状態に省電力を実現するとともに、その起動制御を行う光伝送システム、信号伝送装置、光伝送方法、信号伝送装置の制御方法、制御プログラムを提供することを目的とする。
【課題を解決するための手段】
【００１１】
上述した目的を達成するために、本発明に係る光伝送システムは、所定の伝送信号の伝送を行う、光伝送ケーブルを介して接続された第１の信号伝送装置と第２の信号伝送装置からなる光伝送システムにおいて、上記第１の信号伝送装置は、電気信号形式の上記伝送信号を光信号形式に変換する電気／光信号変換部と、上記第２の信号伝送装置から上記光伝送ケーブルを介して伝送される光信号形式の上記伝送信号を電気信号形式に変換する光／電気信号変換部と、待機状態から通常動作状態に移行する制御を行う起動制御部を備え、上記第２の信号伝送装置は、電気信号形式の上記伝送信号を光信号形式に変換する電気／光信号変換部と、上記第１の信号伝送装置から伝送される光信号形式の上記伝送信号を電気信号形式に変換する光／電気信号変換部と、待機状態から通常動作状態に移行する制御を行う起動制御部を備え、一方の信号伝送装置は、上記起動制御部が上記電気／光信号変換部を起動し、上記起動制御部が待機状態から通常動作状態に移行する制御を行う電気信号形式の起動制御信号を上記電気／光信号変換部へ送信し、上記電気／光信号変換部が電気信号形式の上記起動制御信号を光信号形式に変換して上記光伝送ケーブルを介して待機状態の他方の信号伝送装置へ伝送し、上記他方の信号伝送装置は、上記一方の信号伝送装置から上記光伝送ケーブルを介して伝送される光信号形式の上記起動制御信号を上記光／電気信号変換部が電気信号形式に変換して上記起動制御部へ送信し、上記起動制御部が電気信号形式の上記起動制御信号に応じて待機状態から通常動作状態に移行し、上記一方の信号伝送装置と上記他方の信号伝送装置との間で、上記光伝送ケーブルを介して上記伝送信号の伝送を行うことを特徴とする。
【００１２】
また、本発明に係る信号伝送装置は、所定の伝送信号を伝送する光伝送システムにおける光伝送ケーブルを介して他の信号伝送装置と接続される信号伝送装置であって、電気信号形式の上記伝送信号を光信号形式に変換する電気／光信号変換部と、上記光伝送ケーブルを介して接続された他の信号伝送装置から伝送される光信号形式の上記伝送信号を電気信号形式に変換する光／電気信号変換部と、待機状態から通常動作状態に移行する制御を行う起動制御部とを備え、上記起動制御部が上記電気／光信号変換部を起動し、上記起動制御部が待機状態から通常動作状態に移行する制御を行う電気信号形式の起動制御信号を上記電気／光信号変換部へ送信し、上記電気／光信号変換部が上記起動制御信号を光信号形式に変換して上記光伝送ケーブルを介して接続された待機状態の上記他の信号伝送装置へ伝送し、上記起動制御信号により、上記他の信号伝送装置を待機状態から通常動作状態に移行し、上記他の信号伝送装置との間で、上記光伝送ケーブルを介して上記伝送信号の伝送を行うことを特徴とする。
【００１３】
また、本発明に係る信号伝送装置は、所定の伝送信号を伝送する光伝送システムにおける光伝送ケーブルを介して他の信号伝送装置と接続された信号伝送装置であって、電気信号形式の上記伝送信号を光信号形式に変換する電気／光信号変換部と、上記光伝送ケーブルを介して接続された他の信号伝送装置から伝送される光信号形式の上記伝送信号を電気信号形式に変換する光／電気信号変換部と、待機状態から通常動作状態へ移行する制御を行う起動制御部とを備え、上記他の信号伝送装置から上記光伝送ケーブルを介して伝送される、待機状態から通常動作状態に移行する制御を行う光信号形式の上記起動制御信号を、上記光／電気信号変換部が電気信号形式に変換して上記起動制御部へ送信し、上記起動制御部が電気信号形式の上記起動制御信号に応じて、待機状態から通常動作状態に移行し、上記他の信号伝送装置との間で、上記光伝送ケーブルを介して上記伝送信号の伝送を行うことを特徴とする。
【００１４】
また、本発明に係る光伝送方法は、所定の伝送信号の伝送を行う、光伝送ケーブルを介して接続された第１の信号伝送装置と第２の信号伝送装置からなる光伝送システムにおける光伝送方法であって、一方の信号伝送装置は、待機状態から通常動作状態に移行し、待機状態から通常動作状態に移行する制御を行う電気信号形式の起動制御信号を出力し、電気信号形式の上記起動制御信号を光信号形式に変換して上記光伝送ケーブルを介して待機状態の他方の信号伝送装置へ伝送し、上記他方の信号伝送装置は、上記一方の信号伝送装置から上記光伝送ケーブルを介して伝送される光信号形式の上記起動制御信号を電気信号形式に変換し、電気信号形式の上記起動制御信号に応じて待機状態から通常動作状態に移行し、上記一方の信号伝送装置と上記他の信号伝送装置との間で、上記光伝送ケーブルを介して上記伝送信号の伝送を行うことを特徴とする。
【００１５】
また、本発明に係る信号伝送装置の制御方法は、所定の伝送信号を伝送する光伝送システムにおける光伝送ケーブルを介して他の信号伝送装置と接続された信号伝送装置の制御方法であって、待機状態から通常動作状態に移行し、待機状態から通常動作状態に移行する制御を行う電気信号形式の起動制御信号を出力し、出力した上記電気信号形式の起動制御信号を光信号形式に変換し、光信号形式の上記起動制御信号を上記光伝送ケーブルを介して待機状態の上記他の信号伝送装置へ伝送し、上記起動制御信号により、上記他の信号伝送装置を待機状態から通常動作状態に移行し、通常動作状態に移行した上記他の信号伝送装置との間で、上記光伝送ケーブルを介して、上記伝送信号の伝送を行うことを特徴とする。
【００１６】
また、本発明に係る信号伝送装置の制御方法は、所定の伝送信号を伝送する光伝送システムにおける光伝送ケーブルを介して他の信号伝送装置と接続された信号伝送装置の制御方法であって、上記他の信号伝送装置から上記光伝送ケーブルを介して伝送される、待機状態から通常動作状態に移行する制御を行う光信号形式の起動制御信号を電気信号形式に変換し、電気信号形式の上記起動制御信号に応じて、待機状態から通常動作状態に移行し、通常動作状態に移行した上記他の信号伝送装置との間で、上記光伝送ケーブルを介して上記伝送信号の伝送を行うことを特徴とする。
【００１７】
また、本発明に係る制御プログラムは、所定の伝送信号を伝送する光伝送システムにおける光伝送ケーブルを介して他の信号伝送装置と接続された信号伝送装置に搭載されるコンピュータにより実行される制御プログラムであって、待機状態から通常動作状態に移行し、待機状態から通常動作状態へ移行する制御を行う電気信号形式の起動制御信号を出力し、上記電気信号形式の起動制御信号を光信号形式に変換して上記光伝送ケーブルを介して待機状態の上記他の信号伝送装置へ伝送し、上記起動制御信号により、上記他の信号伝送装置を待機状態から通常動作状態に移行し、通常動作状態に移行した上記他の信号伝送装置との間で、上記光伝送ケーブルを介して、上記伝送信号を伝送する制御を行うことを特徴とする。
【００１８】
また、本発明に係る制御プログラムは、所定の伝送信号を伝送する光伝送システムにおける光伝送ケーブルを介して他の信号伝送装置と接続された信号伝送装置に搭載されるコンピュータにより実行される制御プログラムであって、上記他の信号伝送装置から上記光伝送ケーブルを介して伝送される、待機状態から通常動作状態に移行する制御を行う光信号形式の起動制御信号を電気信号形式に変換し、電気信号形式の上記起動制御信号に応じて、待機状態から通常動作状態に移行し、通常動作状態に移行した上記他の信号伝送装置との間で、上記光伝送ケーブルを介して上記伝送信号を伝送する制御を行うことを特徴とする。
【発明の効果】
【００１９】
本発明は、上記光伝送システムにおける一方の信号伝送装置が、起動制御部から上記起動制御信号を出力し、起動制御信号を光信号形式に変換して光伝送ケーブルを介して待機状態の他方の信号伝送装置へ伝送し、他方の信号伝送装置が、一方の信号伝送装置から伝送される光信号形式の起動制御信号を電気信号形式に変換し、起動制御信号に応じて待機状態から通常動作状態に移行する制御を行う。
【００２０】
このことにより、本発明は、起動待機状態において、電気信号を光信号に変換する電気／光信号処理と、光信号を電気信号に変換する光／電気信号処理に消費される電力を低減して、待機状態に省電力を実現するとともに、その起動制御を行うことができる。
【発明を実施するための最良の形態】
【００２１】
以下、本発明を適用した具体的な実施の形態について、図面を参照しながら詳細に説明する。本実施の形態は、映像信号の伝送を行う光伝送システム１に適用したものである。
【００２２】
光伝送システム１は、図１に示すように、映像信号を出力するソース機器１０と、ソース機器１０から出力される映像信号を表示するモニタ機器２０と、ソース機器１０とモニタ機器２０とを接続して光信号形式で映像信号等の伝送信号の伝送を行う光信号ケーブル３０とからなる。
【００２３】
ソース機器１０は、映像記録媒体からの映像データの読み取りなどを行うソース本体部１１と、ソース本体部１１が生成した映像信号を外部へ出力する映像信号Ｉ／Ｆ部１２と、光信号ケーブル３０を介して接続されたモニタ機器２０との間で通信を行う制御信号の出力を行う制御信号Ｉ／Ｆ部１３と、映像信号と制御信号とを同一の光信号で伝送するための信号処理を施すソース伝送処理部１４とから構成される。
【００２４】
ソース本体部１１は、映像記録媒体からの映像データの読み出し、又は放送映像信号の受信などを行って映像信号を生成する。ここで、映像信号は、具体的に３原色信号からなるＲＧＢ信号と当該ＲＧＢ信号を同期させるためのクロック信号とから構成され、映像信号Ｉ／Ｆ部１２から外部へ出力される。
【００２５】
制御信号Ｉ／Ｆ部１３は、光信号ケーブル３０を介して接続されたモニタ機器２０との間で通信を行う制御信号を所定の伝送規格に変換する。ここで、制御信号とは、接続されたモニタ機器２０との間で送受信される命令信号である。
【００２６】
モニタ機器２０は、図１に示すように、ソース機器１０から送信される映像信号を表示するモニタ本体部２１と、映像信号をモニタ本体部２１へ入力させる映像信号Ｉ／Ｆ部２１と、光信号ケーブル３０を介して接続されたソース機器１０との間で通信を行う制御信号を出力する制御信号Ｉ／Ｆ部２３と、映像信号と制御信号とを同一の光信号で伝送するための信号処理を施すモニタ伝送処理部２４とから構成される。
【００２７】
モニタ本体部２１は、ソース機器１０から送信される映像信号を表示する。ここで、映像信号は、具体的に３原色信号からなるＲＧＢ信号と当該ＲＧＢ信号を同期させるためのクロック信号とから構成され、映像信号Ｉ／Ｆ部２２から入力される。
【００２８】
制御信号Ｉ／Ｆ部２３は、光信号ケーブル３０を介して接続されたソース機器１０との間で通信を行う制御信号を所定の伝送規格に変換する。ここで、制御信号とは、接続されたソース機器１０との間で送受信される命令信号である。
【００２９】
光信号ケーブル３０は、ソース機器１０からモニタ機器２０へ映像信号や制御信号を送信する信号線と、モニタ機器２０からソース機器１０へ制御信号を送信する信号線との、合計２つの光ファイバーから構成されている。ここで、各信号線は、シリアル信号を伝送するものとする。
【００３０】
次に、図２を参照して、ソース機器１０のソース伝送処理部１４の構成について詳細に説明する。ソース伝送処理部１４は、図２に示すように、映像信号と制御信号とを多重又は分離処理をして光伝送に適した電気信号に変換する電気信号処理部１４１と、電気信号処理部１４１が変換した電気信号を光信号に変換するＥ／Ｏ変換部１４２と、光信号ケーブル３０を介してモニタ機器２０から送信される光信号を電気信号に変換するＯ／Ｅ変換部１４３と、モニタ機器２０との間で、待機状態から通常動作状態へ移行する制御を行う起動制御部１４４とから構成される。
【００３１】
電気信号処理部１４１は、映像信号と制御信号との多重化する信号処理を行い、図２に示すように、ＲＧＢＩ／Ｆデバイス部１４１ａと、ロジック部１４１ｂと、ＳＥＲＤＥＳ変換部１４１ｃとから構成されている。
【００３２】
ＲＧＢＩ／Ｆデバイス部１４１ａは、映像信号Ｉ／Ｆ部１２が出力した所定のディジタル映像信号伝送規格に基づいた映像信号から、他の装置へ伝送するために映像信号とクロックを取り出す。具体的なディジタル映像信号伝送規格としては、ＤＶＩ（Ｄｉｇｉｔａｌ  Ｖｉｓｕａｌ  Ｉｎｔｅｒｆａｃｅ）や、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）がある。
【００３３】
ロジック部１４１ｂは、ＲＧＢＩ／Ｆデバイス部１４１ａにより取り出した映像信号とクロック、及び、制御信号Ｉ／Ｆ部１３から出力された制御信号をそれぞれ時分割して、１つの信号に多重化する。また、光信号ケーブル３０を介してモニタ機器２０から送られてきた光信号であって、Ｏ／Ｅ変換部１４３によって電気信号に変換された制御信号は、ロジック部１４１ｂに提供される。ここで、ロジック部１４１ｂに入力された制御信号は、１つの信号に多重化されているので、ロジック部１４１ｂにより分離処理が施され所定のディジタル信号伝送規格に変換される。
【００３４】
ＳＥＲＤＥＳ変換部１４１ｃは、ロジック部１４１ｂにより多重化された信号を光伝送に適した符号変換を施してシリアル信号に変換する。ここで、光信号ケーブル３０は、送信用、受信用の２本の光信号線から構成されている。また、それぞれの光信号線の伝送形式は、シリアル伝送形式である。したがって、ＳＥＲＤＥＳ変換部１４１ｃは、ロジック部１４１ｂにより多重化された信号を、シリアル伝送形式で伝送される光信号に適したシリアル信号形式の電気信号に変換する。
【００３５】
Ｅ／Ｏ変換部１４２は、電気信号処理部１４１において、多重化かつシリアル化された電気信号を光信号に変換する。また、Ｅ／Ｏ変換部１４２は、伝送する情報量に応じて、光信号の伝送周波数帯域を変更する。ここで、Ｅ／Ｏ変換部１４２は、低周波帯域で伝送することにより、消費電力を小さくすることができる。具体的に、Ｅ／Ｏ変換部１４２は、映像信号等の情報量が大きい信号を伝送する通常変換モードと、映像信号と比べて小さい情報量に応じた信号を伝送する省電力変換モードとの少なくとも２つのモードを有しており、起動制御部１４４からの制御命令に応じて、これら２つのモードを切り換えて電気信号を光信号に変換する。
【００３６】
Ｏ／Ｅ変換部１４３は、光ケーブル３０を介してモニタ機器２０から送信される光信号を検出して電気信号に変換する。また、Ｏ／Ｅ変換部１４３は、光信号ケーブル３０から伝送される情報量に応じて、光信号を検出する周波数帯域を変更する。ここで、Ｏ／Ｅ変換部１４３は、検出周波数帯域を低くすることにより、消費電力を小さくすることができる。具体的に、Ｏ／Ｅ変換部１４３は、映像信号等の情報量が大きい信号を検出する通常変換モードと、映像信号と比べて小さい情報量の信号を検出する省電力変換モードとの少なくとも２つのモードを有しており、起動制御部１４４からの制御命令に応じて、これら２つのモードを切り換えて変換を行う。
【００３７】
起動制御部１４４は、待機状態から通常動作状態へ移行する起動制御信号の送受信を行う。具体的に、起動制御部１４４は、低消費電力で動作できる演算処理装置が用いられている。また、この演算処理装置には、モニタ機器２０から起動制御信号を受信して当該ソース機器１０を待機状態から通常動作状態へ移行する制御をするための起動制御プログラムが組み込まれている。よって、起動制御部１４４は、この起動制御プログラムに従って、Ｅ／Ｏ変換部１４２及びＯ／Ｅ変換部１４３への供給電力の制御を行う。
【００３８】
次に、図３を参照して、モニタ機器２０のモニタ伝送処理部２４の構成について、詳細に説明する。モニタ伝送処理部２４は、図３に示すように、光信号ケーブル３０の光信号をモニタ機器２０の所定ディジタル映像信号伝送規格Ｉ／Ｆへの電気信号の信号処理を行う電気信号処理部２４１と、電気信号処理部２４１において信号処理された電気信号を光信号に変換するＥ／Ｏ変換部２４２と、光信号ケーブル３０を介してソース機器１０から送信される光信号を電気信号に変換するＯ／Ｅ変換部２４３と、ソース機器１０との間で、待機状態から通常動作状態へ移行する制御を行う起動制御部２４４から構成される。
【００３９】
電気信号処理部２４１は、図３に示すように、ＳＥＲＤＥＳ変換部２４１ａと、ロジック部２４１ｂと、ＲＧＢＩ／Ｆデバイス部２４１ｃとから構成されている。
【００４０】
ＳＥＲＤＥＳ変換部２４１ａは、光信号ケーブル３０を介してソース機器１０から送られてきた光信号であって、Ｏ／Ｅ変換部２４３により変換された電気信号をパラレル信号へ変換する。ここで、光信号ケーブル３０を介して伝送される光信号がシリアル信号形式なので、シリアル信号形式の電気信号がＯ／Ｅ変換部２４３から出力される。
【００４１】
ロジック部２４１ｂは、ＳＥＲＤＥＳ変換部２４１ａによってパラレル信号形式へ変換された信号が時分割に多重化されているので、この多重化信号を映像信号と制御信号とに分離する。
【００４２】
ＲＧＢＩ／Ｆデバイス部２４１ｃは、ロジック部２４１ｂにより分離処理が施された映像信号を、所定のディジタル映像信号伝送規格に基づいた映像信号形式に変換して、映像信号Ｉ／Ｆ部２２へ出力する。
【００４３】
Ｅ／Ｏ変換部２４２は、電気信号処理部２４１において多重化された電気信号を光信号に変換する。ここで、Ｅ／Ｏ変換部２４２は、ソース機器１０のＥ／Ｏ変換部１４２と同様に、通常変換モードと省電力変換モードとの２つのモードを有しており、起動制御部２４４からの制御命令に応じて、これらの２つのモードを切り換えて電気信号を光信号に変換する。
【００４４】
Ｏ／Ｅ変換部２４３は、光ケーブル３０を介してソース機器１０から送信される光信号を電気信号に変換する。ここで、Ｏ／Ｅ変換部２４３は、ソース機器１０のＯ／Ｅ変換部１４３と同様に、通常変換モードと省電力変換モードとの少なくとも２つのモードを有しており、これらの２つのモードを切り換えて光信号を電気信号に変換する。
【００４５】
起動制御部２４４は、待機状態から通常動作状態へ移行する起動制御信号の通信を行う。具体的に、起動制御部２４４は、低消費電力で動作できる演算処理装置が用いられている。また、この演算処理装置には、ソース機器１０を待機状態から通常動作状態へ移行させる起動制御信号を送信するための起動制御プログラムが組み込まれている。起動制御部２４４は、この起動制御プログラムに従って、Ｅ／Ｏ変換部２４２及びＯ／Ｅ変換部２４３への供給電力の制御を行う。
【００４６】
次に、ソース機器１０とモニタ機器２０とが互いに備える起動制御部１４４、２４４を用いて、待機状態から通常動作状態へ移行する起動制御工程について、図４を用いて説明する。
【００４７】
本実施の形態では、互いに待機状態のソース機器１０とモニタ機器２０とを、通常動作状態へ移行する起動制御工程に注目して扱う。したがって、本実施の形態において、通常動作状態に移行した後に光伝送システム１が行う映像信号の伝送に関しての説明は省略する。また、この起動制御工程は、起動制御部１４４、２４４にそれぞれ書き込まれた起動制御プログラムに従って実行されるものとする。
【００４８】
まず、図４のステップＳ１〜Ｓ５に示す電源の供給から待機状態に設定されるまでのモニタ機器２０における起動制御部２４４の処理工程について説明する。
【００４９】
ステップＳ１において、起動制御部２４４は、モニタ本体部２１から電力が供給される。ここで、モニタ本体部２１は、待機状態であって、所定のユーザインターフェースから起動命令が入力され、通常動作状態へ移行するとともに、起動制御部２４４に電力を供給する。
【００５０】
ステップＳ２において、起動制御部２４４に電力が供給されると、起動制御部２４４は、起動制御プログラムに従って、所定の初期設定を行う。
【００５１】
ステップＳ３において、初期設定が完了すると、起動制御部２４４は、起動制御プログラムに従って、起動用Ｉ／Ｏ割り込み設定を行う。ここで、起動用Ｉ／Ｏ割り込み設定とは、モニタ伝送処理部２４の各ブロックへの供給電力を制限して省電力化された待機状態とし、当該起動制御部２４４と接続された制御信号Ｉ／Ｆ部２３から入力される制御信号の変化を検出に応じて、待機状態から通常起動状態へ移行して、制限された動作を解除する設定である。
【００５２】
ステップＳ４において、起動用Ｉ／Ｏ割り込み設定が完了すると、起動制御部２４４は、起動制御プログラムに従って、モニタ伝送処理部２４を待機状態へ移行させる。具体的にモニタ光伝送処理部２４は、起動制御部２４４のみに電力が供給されている待機状態へ移行させる。ここで、起動制御部２４４は、制御信号Ｉ／Ｆ部２３及び光信号ケーブル３０を介してＯ／Ｅ変換部２４３から出力される単純なＨｉｇｈ／Ｌｏｗ電圧レベルに応じて割り込み処理を行う、演算処理能力を制限した待機状態に設定する。
【００５３】
ステップＳ５において、モニタ伝送処理部２４が待機状態へ移行すると、起動制御部２４４は、起動制御プログラムに従って、制御信号Ｉ／Ｆ部２３又はＯ／Ｅ変換部２４３からＨｉｇｈ／Ｌｏｗ電圧レベルに応じた割り込み起動命令があるか否かを判断する。ここで、起動制御プログラムは、割り込み起動命令があればステップＳ６へ移行し、割り込み起動命令がなければ、この処理を繰り返し実行する。
【００５４】
一方、ソース機器１０における起動制御部１４４も、ステップＳ２１〜Ｓ２５において、モニタ機器２０における起動制御部２４４と同様に電源が供給され、待機状態に設定される。ここで、モニタ機器２０の起動制御工程のステップＳ４において、起動制御部２４４が制御信号Ｉ／Ｆ部２３からのＨｉｇｈ／Ｌｏｗ電圧レベルに対して割り込み処理を行うのに対して、ソース機器１０の起動制御部１４４では、ステップＳ２４において、光信号ケーブル３０を介してＯ／Ｅ変換部２４３から出力されるＨｉｇｈ／Ｌｏｗ電圧レベルに応じた割り込み処理に待機した状態となっている。
【００５５】
次に、互いに待機状態のソース機器１０とモニタ機器２０に対して、待機状態を解除する割り込み処理が行われ、２つの機器が映像信号を光伝送する通常動作状態へ移行する起動処理について説明する。
【００５６】
ステップＳ６において、モニタ本体部２１における起動制御部２４４は、制御信号Ｉ／Ｆ部２３からＨｉｇｈ／Ｌｏｗ信号に応じた割り込み起動命令が入力され、起動制御プログラムに従って、待機状態から通常動作状態へ移行する。ここで、モニタ本体部２１は、ユーザインターフェース等からの起動命令により、待機状態から通常動作状態に移行するとともに、制御信号Ｉ／Ｅ部２３からＨｉｇｈ／Ｌｏｗ信号に応じた割り込み起動命令を出力する。
【００５７】
ステップＳ７において、起動制御部２４４は、起動制御プログラムに従って、制御信号Ｉ／Ｆ部２３から出力された起動制御信号から起動制御データの読み取りを行う。ここで、起動制御データは、起動制御信号における所定の信号伝送規格に基づいて読み取られたデータであり、単純なＨｉｇｈ／Ｌｏｗ信号に応じた割り込み起動命令ではなく、ソース機器１０に対して具体的な制御命令として扱われる。
【００５８】
ステップＳ８において、起動制御部２４４は、起動制御プログラムに従って、Ｅ／Ｏ変換部２４２に対して、電力を供給させて省電力モードとして起動させる。
【００５９】
ステップＳ９において、起動制御部２４４は、起動制御プログラムに従って、Ｅ／Ｏ変換部２４２が省電力モードで起動したことを確認して、制御信号Ｉ／Ｆ部２３から出力された起動制御信号を、Ｅ／Ｏ変換部２４２へ出力する。ここで、Ｅ／Ｏ変換部２４２が省電力モードで動作しているために、当該起動制御信号は、低伝送速度でＥ／Ｏ変換部２４２へ送信される。具体的には、映像信号がＧｂｐｓ又はＭｂｐｓ単位の速度で伝送されるのに対して、起動制御信号は、Ｋｂｐｓ単位の低速度で伝送される。さらに、起動制御部２４４は、起動制御プログラムに従って、Ｅ／Ｏ変換部２４２に対して、起動制御信号を光信号に変換させて光信号ケーブル３０へ送信させる。
【００６０】
ステップＳ１０において、Ｅ／Ｏ変換部２４２が光信号ケーブル３０とを介してソース機器１０へ起動制御信号を送信すると、起動制御部２４４は、起動制御プログラムに従って、電気信号処理部２４１の各処理部へ電力を供給させて、光信号ケーブル３０を介してソース機器１０から伝送される映像信号に備える。
【００６１】
ステップＳ１１において、起動制御部２４４は、起動制御プログラムに従って、待機状態に移行するか否かを判断する。起動制御部２４４は、待機状態に移行しないと判断されると、ステップＳ１１の動作を繰り返し、待機状態に移行すると判断されると、ステップＳ４に本起動制御処理を戻す。
【００６２】
次に、モニタ機器２０から光信号ケーブル３０へ送信された起動制御信号がソース伝送処理部１４に到達した後に、起動制御部１４４は、起動制御プログラムに従って、ステップＳ２５〜２９の処理工程により、ベース伝送処理部１４を待機状態から通常動作状態へ移行させる。
【００６３】
まず、起動制御信号は、光信号ケーブル３０を介してＯ／Ｅ変換部１４３へ入力される。続いて、Ｏ／Ｅ変換部１４３は、光信号形式の起動制御信号を電気信号形式へ変換して、起動制御部１４４へ出力する。
【００６４】
ステップＳ２６において、Ｏ／Ｅ変換部１４３から起動制御信号が起動制御部１４４に入力されると、起動制御部１４４は、起動制御プログラムに従って、起動制御信号が入力されたことによる電圧変化によって、割り込み処理が行われ、待機状態から動作状態へ移行する。
【００６５】
ステップＳ２７において、起動制御部１４４が通常動作状態へ移行すると、起動制御部１４４は、起動制御プログラムに従って、モニタ機器２０から光伝送された起動制御信号から起動制御データを読み取る。
【００６６】
ステップＳ２８において、起動制御部１４４は、起動制御プログラムに従って、起動制御信号から読み取られた起動制御データを制御信号Ｉ／Ｆ部１３へ出力する。また、ソース本体部１１は、制御信号Ｉ／Ｆ部１３から起動制御データが入力されると、Ｉ／Ｏ割り込み処理によって、待機状態から通常動作状態へ移行する。具体的に、ソース本体部１１は、入力した起動制御データに応じて、映像信号の出力等の動作が実行される。
【００６７】
ステップＳ２９において、制御信号Ｉ／Ｆ部１３へ起動制御信号が出力されると、起動制御部１４４は、起動制御プログラムに従って、電気信号処理部１４１の各ブロックへ電力を供給させて、ソース本体部１１から出力される映像信号に対する信号処理に備える。
【００６８】
以上の処理工程により、ソース機器１０とモニタ機器２０とは、待機状態から映像信号を光伝送する動作状態へ移行する。
【００６９】
ステップＳ３０において、起動制御部１４４は、起動制御プログラムに従って、待機状態に移行するか否かを判断する。起動制御部１４４は、待機状態に移行しないと判断されると、ステップＳ３０の動作を繰り返し、待機状態に移行すると判断されると、ステップＳ２４に本起動制御処理を戻す。
【００７０】
このように、起動制御部１４４、２４４は、これらの演算処理装置に組み込まれた起動制御プログラムに応じて起動制御工程が実行される。したがって、起動制御部１４４、２４４は、省電力状態において動作が不必要な部分の電源をＯＦＦにし、待機状態において動作が必要な部分に必要となる電力のみを供給させる、複雑な起動制御を行うことができる。さらに、このような複雑な起動制御をソフトウェアにより実行されるため、複雑なハードウェアを設計する必要がなく、目的に応じて設計仕様の書き換えを容易に行うことができる。
【００７１】
また、起動制御部１４４、２４４は、低消費電力化された演算処理装置を使用することで、待機状態において省電力を実現する。このような低消費電力化された演算処理装置は、通常動作状態以外に、待機状態や、外部からの入力により待機状態から通常動作状態へ移行できる割り込み起動処理を行うことができるので、待機状態における消費電力を低くすることができる。
【００７２】
なお、本実施の形態に示した起動制御工程は、起動制御信号をＥ／Ｏ変換部に出力して光信号ケーブル３０を介して他方の機器へ送信する送信起動命令処理と、送信される起動制御信号に応じて起動を行う受信起動制御処理との２つの処理を行う起動制御プログラムが、それぞれの起動制御部１４４、２４４に組み込まれている。また、本実施形態では、モニタ機器２０の起動制御部２４４が送信起動命令処理を行い、ソース機器１０の起動制御部１４４が受信起動制御処理を行う起動処理工程を示した。しかし、このような起動処理工程に限らず、ソース機器１０の起動制御部１４４が送信起動命令処理を行い、モニタ機器２０の起動制御部２４４が受信起動制御処理を行うように、起動制御部の各処理ブロックを構成して、プログラムを設定するようにしてもよい。また、起動制御部１４４、２４４が、送信起動命令処理及び受信起動制御処理の両方を行うように、起動制御部における各処理ブロックを構成して、プログラムを設定するようにしても良い。
【００７３】
さらに、本発明は上述した実施の形態である映像信号を光信号で伝送を行うものに限らず、光伝送ケーブルを介して起動制御を行うものであれば、映像信号以外の音声信号や情報データを光信号で伝送する伝送システムに適用するようにしてもよい。
【図面の簡単な説明】
【００７４】
【図１】光伝送システムの構成を示した模式図である。
【図２】ソース機器の構成を示した模式図である。
【図３】モニタ機器の構成を示した模式図である。
【図４】光伝送システムにおける起動制御工程を示したフローチャートである。
【図５】映像信号が電気信号によって伝送される伝送システムの構成を示した模式図である。
【符号の説明】
【００７５】
１  光伝送システム、１０  ソース機器、１１  ソース本体部、２０  モニタ機器、２１  モニタ本体部、１２、２２  映像信号Ｉ／Ｆ、１３、２３  制御信号Ｉ／Ｆ、１４  ソース伝送処理部、２４  モニタ伝送処理部、１４１、２４１  電気信号処理部、１４２、２４２  Ｅ／Ｏ変換部、１４３、２４３  Ｏ／Ｅ変換部、１４４、２４４  起動制御部、３０  光信号ケーブル
【図１】
2007174238.tif 000003
【図２】
2007174238.tif 000004
【図３】
2007174238.tif 000005
【図４】
2007174238.tif 000006
【図５】
2007174238.tif 000007